(57)【要約】【課題】止水部をスリム化したシールド線を提供する。【解決手段】シールド線１０の中間部分でシース１４に周方向のスリットを入れて第一シース１４Ａと第二シース１４Ｂに分割し、分割された第一シースに対して第二シースを移動させて、第一シースと第二シースとの間にコア線１２およびドレン線１１を露出させ、露出した部分に溶融した止水剤２１を注入し、止水剤の硬化前に第二シースを第一シースに接合する元の位置まで移動させて、注入された止水剤を加圧してコア線とドレン線の隙間および該コア線およびドレン線と前記シースの内周面の隙間に強制的に充填させ、第一シースと第二シースとの分割端が接合後に前記注入された止水剤を硬化させている。【選択図】図３
2010129229.tif 000002
【特許請求の範囲】
【請求項１】
コア線とドレン線をシースで被覆しているシールド線の止水方法であって、
前記シールド線の中間部分で前記シースに周方向のスリットを入れて第一シースと第二シースに分割し、
分割された第一シースに対して第二シースを移動させて、第一シースと第二シースとの間に前記コア線およびドレン線を露出させ、
前記露出した部分に溶融した止水剤を注入し、
前記止水剤の硬化前に前記第二シースを第一シースに接合する元の位置まで移動させて、前記注入された止水剤を加圧して前記コア線とドレン線の隙間および該コア線およびドレン線と前記シースの内周面の隙間に強制的に充填させ、
前記第一シースと第二シースとの分割端が接合後に前記注入された止水剤を硬化させていることを特徴とするシールド線の止水方法。
【請求項２】
前記止水剤としてシリコーンを用いている請求項１に記載のシールド線の止水方法。
【請求項３】
コア線とドレン線をシースで被覆しているシールド線の長さ方向の中間位置で、互いに接合されるスリットを設けた前記シースの内周面側に止水剤が充填されていることを特徴とする止水部を備えたシールド線。
【請求項４】
請求項１または請求項２に記載の方法で形成された請求項３に記載の止水部を備えたシールド線。
【請求項５】
前記止水部を備えたシースの外径が、該止水部を挟む部分のシースの外径と同等であり、該止水部の外径が肥大化していない請求項３または請求項４に記載の止水部を備えたシールド線。
【請求項６】
前記第一シースと第二シースの分割端面同士は前記止水剤で固着されている請求項３乃至請求項５のいずれか１項に記載の止水部を備えたシールド線。
【請求項７】
自動車のエンジンルームを含む被水領域に配索される請求項３乃至請求項６のいずれか１項に記載の止水部を備えたシールド線。
【発明の詳細な説明】
【技術分野】
【０００１】
本発明は、シールド線の止水方法および止水部を備えシールド線に関し、特に、車両のエンジンルーム等の防水領域に配線するシールド線において、該シールド線の端末からシールド線のシースとドレン線およびコア線との隙間に浸水が生じるのを防止する止水部を備え、かつ、該止水部をスリム化するものである。
【背景技術】
【０００２】
自動車に配索される電線のうち、特にノイズに対する遮蔽が要求される配線領域にシールド電線が用いられている。このシールド電線１としては、例えば図４（Ａ）に示すように、複数本の信号線となる絶縁被覆電線のコア電線２とアース用のドレン線３とを金属箔や金属メッシュチューブ等からなるシールド層４で被覆し、該シールド層４を絶縁樹脂材料からなるシース５で順次被覆してなるものが用いられる（特開２００２−２０８３２１号公報参照）。
前記ドレン線３は多数本の導電性の素線からなり、絶縁被覆がされておらず、前記シールド層４と接触させている。
【０００３】
このようなシールド電線１をコネクタハウジングに取り付けるには、図４（Ｂ）に示すように、シールド電線１の端末加工が必要となる。該端末加工は、シース５とシールド層４を約８０〜２００ｍｍにわたって皮剥ぎ処理し、露出した被覆電線２の端末を更に皮剥ぎして端子金具７を圧着し、ドレン線３にも同様に端子８を圧着処理して各端子７、８をコネクタハウジング内に挿入して、相手側機器との機械的接続を可能としている。
【０００４】
前記シース５とシールド層４との間には隙間が存在し、該隙間に浸水が発生しやすいため、シールド線１に止水部を設ける必要があり、従来から、シース剥離部分にシリコーンやブチルゴム等の止水材を取り付けている場合が多い。
【０００５】
しかしながら、このような止水材を取り付けると、止水部が肥大化し、シールド線を多数本有するセンサ系の回路が重なるワイヤハーネスでは、コルゲートチューブ等のチューブ類で外装する際に、該チューブ内に収まらない問題が発生している。
また、シリコーンやブチルゴムが外面に露出していると、急激な温度の変化を受けるサーマルショックや車両振動でシースが破壊される可能性もある。
さらに、シース部の皮剥き位置でシースとドレン線に跨がって止水部を設ける場合、止水処理のためにシースの端末皮剥長さが長くなり、シールド機能が低下する問題がある。
【０００６】
【特許文献１】特開２００２−２０８３２１号公報
【発明の開示】
【発明が解決しようとする課題】
【０００７】
本発明は前記問題に鑑みてなされたもので、止水処理箇所を肥大化させずにスリム化し、かつ、前記サーマルショックや振動でシースが破壊されないようにし、さらに、シースの端末皮剥き長さを短くしてシールド性能の低下を抑制することを課題としている。
【課題を解決するための手段】
【０００８】
前記課題を解決するために、第一の発明として、コア線とドレン線をシースで被覆しているシールド線の止水方法であって、
前記シールド線の中間部分で前記シースに周方向のスリットを入れて第一シースと第二シースに分割し、
分割された第一シースに対して第二シースを移動させて、第一シースと第二シースとの間に前記コア線およびドレン線を露出させ、
前記露出した部分に溶融した止水剤を注入し、
前記止水剤の硬化前に前記第二シースを第一シースに接合する元の位置まで移動させて、前記注入された止水剤を加圧して前記コア線とドレン線の隙間および該コア線およびドレン線と前記シースの内周面の隙間に強制的に充填させ、
前記第一シースと第二シースとの分割端が接合後に前記注入された止水剤を硬化させていることを特徴とするシールド線の止水方法を提供している。
【０００９】
本発明では、シースの端末皮剥位置に止水部を設けず、シールド線の中間部分でシースにスリットを入れ、分割された端末側のシースを移動させ、コア線とドレン線を露出させた状態で溶融状態の止水剤を注入している。該止水剤が硬化する前に移動させた分割シースを元の位置に戻し、該シースにより充填した止水剤をドレン線の素線間の隙間、該ドレン線とコアの隙間、さらにコア線およびドレン線とシース内周面の隙間に強制的に移動させて空隙を生じないように充填し、分割したシースの接合後にシース内部で止水剤を硬化させている。ドレン線の素線間にも止水剤が充填されている。
【００１０】
前記止水剤としてはシリコーンが最も最適であるが、溶融状態で流動性がある熱可塑性あるいは熱硬化性の接着剤が用いることができる。
【００１１】
このように、止水剤を別部材のブチルゴムシートや他の防水シートで被覆せず、シース自体で被覆していることにより、止水部が肥大化せず、止水部の外径を止水部以外の外径と同等とすることができる。かつ、充填した止水剤は元の接合位置に戻したシースにより押圧され、コア線、ドレン線、シース内周面との間に発生する隙間に強制的に移動させるため、隙間の発生を確実に無くすことができる。
【００１２】
前記止水部を設けることにより、端末のシース皮剥部からシールド線内に浸水が発生しても、止水部で浸水を遮断できる。また、シース内に充填する止水剤は少なく、かつ、該止水剤はシース内で移動するため外径は増加せず、従来のように、止水部をモールドしたりブチルゴムシートを巻き付ける場合等と比較して、止水部を大幅にスリム化できる。
【００１３】
さらに、端末でのシースの皮剥長さに関係なく、止水部を設けることができるため、止水処理のために端末のシース皮剥ぎ長さを長くする必要がなく、シールド線の先端皮剥ぎ長さを最短の４０ｍｍまで加工することができる。このように、皮剥区間を短くすることでシールド性能の向上を図ることができる。
【００１４】
また、止水部では分割した第一シースと第二シースの分割端面には内部に充填したシリコーン等の接着性を有する止水剤が付着された状態で接合され、接合状態で互いに固着するため、止水部でシース端面が外面に露出せず、サーマルショックや振動に対して耐性を持たせることができる。
【００１５】
また、本発明では、止水部を端末シース皮剥位置に設けず、シールド線の中間位置に設けているため、止水部を任意の位置に設定でき、該シールド線を含むワイヤハーネスの配索上で最も有利な位置に設けることができる。なお、該止水部を設ける最適位置は、車両上で熱、振動の影響が少ない場所である。
【００１６】
第二の発明として、コア線とドレン線をシースで被覆しているシールド線の長さ方向の中間位置で、互いに接合されるスリットを設けた前記シースの内周面側に止水剤が充填されていることを特徴とする止水部を備えたシールド線を提供している。
該止水部は前記方法で形成することが好ましいが、他の方法で形成してもよい。
この本発明の止水部を備えたシールド線は、前記のように、止水部の外径が、該止水部を挟む部分の外径と同等であり、該止水部の外径が肥大化していないことを特徴とする。
【００１７】
該止水部を有するシールド線では、前記第一シースと第二シースの分割端面同士は充填したシリコーン等の接着性を有する止水剤が付着されているため、分割端同士を接合した際に、分割端面が固着されている。よって、止水部に防水シートを必ずしも被覆する必要はない。なお、必要に応じて防止シートや防水テープを巻き付けてもよいし、熱収縮チューブを被覆してもよい。
【００１８】
本発明のシールド線は、自動車のエンジンルームを含む被水領域に好適に配索される。  被水領域に配線されたシールド線は、ドレン線の端末に端子が接続され、該シールド線の端末から引き出されるコア線端末に接続された端子と共に、前記防水領域に配置される機器に接続される。
例えば、ドレン線端末の端子を、他のコア線の端末に接続された端子と共に防水コネクタに挿入係止し、該防水コネクタをエンジンルームに搭載されるＥＣＵのコネクタ嵌合部等に嵌合している。
【発明の効果】
【００１９】
上述したように、本発明によれば、シールド線の端末に止水部を設けず、シールド線の中間位置に止水部を設け、該止水部ではシースの内部にシリコーン等の止水剤を充填しているため、止水部の外径を肥大化させず、止水部のシースの外径を非止水部の他の部分の外径と同等としてスリム化を図ることができる。
また、止水部でシースの分割端面が外部に露出せず、サーマルショックや車両の走行振動を受けてもシースに損傷が発生するのを防止できる。
さらに、止水部をシールド線の端末に設けていないため、止水部を形成するために、シースの端末皮剥長さを大とする必要はなく、皮剥長さを端末から引き出したコア線およびドレン線に端子を接続できる長さにするだけで良いため、シールド機能の低下を抑制することができる。
【発明を実施するための最良の形態】
【００２０】
以下、本発明の実施形態を図面を参照して説明する。
実施形態のシールド線１０は自動車のエンジンルームの防水領域に配線され、該シールド線１０の端末をコネクタに接続し、該コネクタを防水領域に配置するＥＣＵ（図示せず）のコネクタ収容部に嵌合している。
前記シールド線１０には端末位置に近接した位置に止水部２０を設けている。
【００２１】
シールド線１０は、図１に示すように、本実施形態では、２本の信号線となる絶縁被覆電線からなるコア線１２と１本のドレン線１１とを、シールド層１３で囲み、該シールド層１３の外周に絶縁被覆材からなるシース１４で被覆し、シールド層１３にドレン線１１を接触させて導通している。シールド層１３は金属箔を巻き付けて形成しているが、金属線の編みチューブで形成してもよい。
【００２２】
前記シールド線１０は、先端から４０ｍｍ程度の最短寸法Ｌ１でシース１４およびシールド層１３を切断剥離してドレン線１１とコア線１２とを引き出し、各コア線１２およびドレン線１１の端末にコネクタに挿入係止される端子が圧着接続される。
【００２３】
前記シールド線１０は前記端末のシース１４およびシールド層１３の剥離位置から所要寸法をあけた中間位置に前記止水部２０を設けている。  
該止水部２０では、前記シース１４に環状のスリット１５を設け、該スリット１５を挟んで第一シース１４Ａと第二シース１４Ｂとに分割している。また、前記シールド層１３にもシース１４に設けたスリット１５と連続した環状のスリット１６を連続して設けている。なお、シールド層を金属線チューブで形成した場合には、スリット１５はシース１４にのみ設けている。
【００２４】
前記スリット１５、１６を設けた位置のシールド線１０の内部には、止水剤のシリコーン２１が充填されている。図２に示すように、シリコーン２１は、前記多数の素線からなるドレン線１１の素線間に充填されているとともに、ドレン線１１とコア線１２の間、これらドレン線１１およびコア線１２とシールド層１３の間、該シールド層１３とシース１４の隙間のすべてに空隙がない状態で充填されている。
【００２５】
前記シース１４のスリット１５を挟む第一、第二シース１４Ａと１４Ｂとの分割端面１４Ａ１、１４Ｂ１はシリコーン２１で互いに固着され、隙間が無い状態となっている。このシリコーン２１が内部に充填された止水部２０の位置では、シース１４の外径は止水部を設けていない隣接するシールド線１０の外径と略同等である。
【００２６】
次に、前記止水部２０の形成方法について図３を参照して説明する。
まず、シールド線１０を先端から、前記したように、シース１４およびシールド層１３を最短寸法で切除して、所謂皮剥を行い、切断端のシールド線１０の端末からコア線１２とドレン線１１とを外部に引き出す。
【００２７】
ついで、シールド線１０の端末に近い位置の中間部分でシース１４およびシールド層１３に周方向のスリット１５、１６を入れ、シース１４を第一シース１４Ａと第二シース１４Ｂに分割する。同様に、シールド層も分割する。
【００２８】
ついで、分割されたシース１４の端末側の第二シース１４Ｂを第一シース１４Ａに対して端末側へと移動させる。該移動で第二シース１４Ｂとともに分割したシールド層も移動する。
この状態で、図３（Ａ）に示すように、第一シース１４Ａと第二シース１４Ｂとの間に、コア線１２およびドレン線１１を露出させる。
【００２９】
ついで、露出した部分Ｓに溶融させて流動性を良くしたゾル状のシリコーン２１(２１ｓ）を図３（Ａ）に示すように塗布する。塗布に代えてシリコーン２１を滴下してもよい。
【００３０】
シリコーン２１が流動性を保持している硬化前に、図３（Ｂ）に示すように、移動させた第二シース１４Ｂを第一シース１４Ａに接合する元の位置まで移動させる。該第二シース１４Ｂの移動で、連動して移動している分割したシールド層も移動して、元の位置まで戻る。この状態で露出していたコア線１２およびドレン線１１を完全に外部から隠蔽する。
【００３１】
前記した第二シース１４Ｂの移動で、注入されたシリコーン２１は押圧されて空隙中に強制的に移動される。その結果、前記のように、多数の素線からなるドレン線１１の素線間に充填されているとともに、ドレン線１１とコア線１２の間、これらドレン線１１およびコア線１２とシールド層１３の間、該シールド層１３とシース１４の隙間のすべてに空隙がない状態で充填されている。
かつ、スリット１５で分割された第一、第二シース１４Ａ、１４Ｂの切断端面にも付着し、第一、第二シース１４Ａ、１４Ｂとが接合された状態でシリコーン２１により互いに固着される。
【００３２】
接合された第一、第二シース１４Ａ、１４Ｂの内部では、シリコーン２１は次第にゲル状に硬化されていき、シールド線１０のシース１４とコア線１２およびドレン線１１との隙間を硬化したシリコーン２１（２１ｇ）で塞いだ止水部２０が形成される。
【００３３】
前記のように形成した止水部２０は、シース１４の内周面側に隙間なく被覆され、かつ、外面に露出せず、スリット１５で分割された第一、第二シース１４Ａ、１４Ｂの分割端も外部に露出しない。また、該止水部２０を設けた部分のシース１４の外径が肥大化することはない。
【００３４】
前記止水部２０を設けた位置のシース１４の外周面には、シース１４の分割端が固着されているため、防水シート等を巻き付ける必要はない。
前記止水部を備えたシールド線１０は他の電線群とともにコルゲートチューブで外装しており、シールド線１０の止水部が肥大化していないため、シールド線が複数本あっても、コルゲートチューブ内に収容することができる。
【図面の簡単な説明】
【００３５】
【図１】本発明の実施形態のシールド線を示す一部断面正面図である。
【図２】要部拡大断面図である。
【図３】（Ａ）〜（Ｃ）は止水部の形成工程を示す図面である。
【図４】（Ａ）（Ｂ）は従来例を示す図面である。
【符号の説明】
【００３６】
１０  シールド線
１１  ドレン線
１２  コア線
１３  シールド層
１４  シース
１４Ａ  第一シース
１４Ｂ  第二シース
１５  スリット
２０  止水部
２１  シリコーン（止水剤）
【図１】
2010129229.tif 000003
【図２】
2010129229.tif 000004
【図３】
2010129229.tif 000005
【図４】
2010129229.tif 000006